(57)【特許請求の範囲】
【請求項１】
複数の画像データを記憶する記憶部を備えた情報処理装置のコンピュータが読み取り可能であり、郵便物の通信面の印刷データを作成するための制御プログラムであって、
印刷データを作成する対象の郵便物に関する郵便物情報に基づいて、前記記憶部に記憶されている複数の画像データから少なくとも１以上の画像データを抽出する抽出手段と、
前記抽出手段によって抽出された少なくとも１以上の画像データを用いて郵便物の通信面の印刷データを作成する作成手段と、
して前記コンピュータを機能させ、
前記記憶部は、撮像により作成された撮像データを、画像データとして記憶しており、
前記郵便物情報は、郵便物の宛先人を示す宛先人情報であり、
前記抽出手段は、
前記記憶部に記憶されている複数の画像データから、少なくとも、宛先人情報により示される宛先人の顔の撮像データである宛先人撮像データを含む画像データを抽出することを特徴とする制御プログラム。
【請求項２】
前記情報処理装置は、ユーザ操作に応じた信号を出力する操作部と、表示部とを備え、
前記抽出手段によって抽出された少なくとも１以上の画像データに基づく画像を前記表示部に表示させる画像表示手段と、
前記画像表示手段によって前記表示部に表示された画像の中から、前記操作部が出力した信号に基づいて、少なくとも１以上の画像を特定する画像特定手段と、
して前記コンピュータを機能させ、
前記作成手段は、
前記画像特定手段によって特定された少なくとも１以上の画像データを用いて通信面の印刷データを作成することを特徴とする請求項１に記載の制御プログラム。
【請求項３】
前記郵便物情報は、郵便物が宛先人に送付される時期を示す時期情報であり、
前記抽出手段は、
前記記憶部に記憶されている複数の画像データから、画像データに関連付けられている関連日が、前記時期情報により示される時期を起点に所定期間遡った日にちより後の画像データを抽出することを特徴とする請求項１又は２に記載の制御プログラム。
【請求項４】
複数の画像データを記憶する記憶部を備えた情報処理装置のコンピュータが読み取り可能であり、郵便物の通信面の印刷データを作成するための制御プログラムであって、
印刷データを作成する対象の郵便物に関する郵便物情報に基づいて、前記記憶部に記憶されている複数の画像データから少なくとも１以上の画像データを抽出する抽出手段と、
前記抽出手段によって抽出された少なくとも１以上の画像データを用いて郵便物の通信面の印刷データを作成する作成手段と、
して前記コンピュータを機能させ、
前記郵便物情報は、郵便物が宛先人に送付される時期を示す時期情報であり、
前記記憶部は、撮像により作成された撮像データを、前記画像データとして記憶しており、
前記抽出手段は、
前記記憶部に記憶されている複数の画像データから、画像データに関連付けられている関連日としての撮像日が、前記時期情報により示される時期を起点に所定期間遡った日にちより後の画像データを抽出することを特徴とする制御プログラム。
【請求項５】
複数の画像データを記憶する記憶部を備えた情報処理装置のコンピュータが読み取り可能であり、郵便物の通信面の印刷データを作成するための制御プログラムであって、
印刷データを作成する対象の郵便物に関する郵便物情報に基づいて、前記記憶部に記憶されている複数の画像データから少なくとも１以上の画像データを抽出する抽出手段と、
前記抽出手段によって抽出された少なくとも１以上の画像データを用いて郵便物の通信面の印刷データを作成する作成手段と、
して前記コンピュータを機能させ、
前記郵便物情報は、郵便物が宛先人に送付される時期を示す時期情報であり、
前記抽出手段は、
前記記憶部に記憶されている複数の画像データから、画像データに関連付けられた日であり、画像データが前記記憶部に記憶された日である関連日が、前記時期情報により示される時期を起点に所定期間遡った日にちより後の画像データを抽出することを特徴とする制御プログラム。
【請求項６】
前記所定期間は、予め設定された期間であることを特徴とする請求項３乃至５の何れか１項に記載の制御プログラム。
【請求項７】
前記記憶部は、撮像により作成された撮像データを、前記画像データとして記憶しており、
前記郵便物情報は、郵便物の差出人を示す差出人情報であり、
前記抽出手段は、
前記記憶部に記憶されている複数の画像データから、前記差出人情報により示される差出人の顔の撮像データである差出人撮像データを抽出することを特徴とする請求項１乃至６の何れか１項に記載の制御プログラム。
【請求項８】
前記記憶部は、撮像により作成された撮像データを、前記画像データとして記憶しており、
前記郵便物情報は、郵便物の差出人を示す差出人情報であり、
前記抽出手段は、
前記差出人情報により示される差出人に関連付けられて前記記憶部に記憶されている人の顔の撮像データである関連人撮像データを抽出することを特徴とする請求項１乃至７の何れか１項に記載の制御プログラム。
【請求項９】
前記記憶部は、撮像により作成された撮像データを、前記画像データとして記憶しており、
前記郵便物情報は、郵便物の差出人を示す差出人情報であり、
前記抽出手段は、
前記記憶部に記憶されている複数の画像データから、前記差出人情報により示される差出人の顔の撮像データである差出人撮像データと、前記差出人情報により示される差出人に関連付けられて前記記憶部に記憶されている人の顔の撮像データである関連人撮像データと、前記差出人撮像データおよび前記関連人撮像データとのうちのいずれかの撮像データを抽出することを特徴とする請求項１乃至８の何れか１項に記載の制御プログラム。
【請求項１０】
前記情報処理装置は、ユーザ操作に応じた信号を出力する操作部と、表示部とを備え、
前記差出人撮像データを含む画像データの抽出と、前記関連人撮像データを含む画像データの抽出と、前記差出人撮像データおよび前記関連人撮像データを含む画像データの抽出とのうちのいずれか１つを選択するための選択画面を、前記表示部に表示させる選択画面表示手段として前記コンピュータを機能させ、
前記抽出手段は、
前記記憶部に記憶されている複数の画像データから、前記操作部が出力した信号に応じて、前記差出人撮像データと、前記関連人撮像データと、前記差出人撮像データおよび前記関連人撮像データとのうちのいずれかの撮像データを抽出することを特徴とする請求項９に記載の制御プログラム。
【請求項１１】
前記情報処理装置は、ユーザ操作に応じた信号を出力する操作部と、表示部とを備え、
前記記憶部は、郵便物の通信面の複数のテンプレートの画像データと、前記複数のテンプレートの各々に関連付けられた、前記差出人撮像データを含む画像データの抽出と、前記関連人撮像データを含む画像データの抽出と、前記差出人撮像データおよび前記関連人撮像データを含む画像データの抽出とのうちのいずれか１つを特定するための特定情報とを記憶しており、
前記記憶部に記憶されている複数のテンプレートの画像データに基づいて複数のテンプレートを前記表示部に表示させるテンプレート表示手段と、
前記テンプレート表示手段によって前記表示部に表示された複数のテンプレートの中から、前記操作部が出力した信号に基づいて、１のテンプレートを特定するテンプレート特定手段と、
して前記コンピュータを機能させ、
前記抽出手段は、
前記記憶部に記憶されている複数の画像データから、前記テンプレート特定手段によって特定された１のテンプレートに関連付けられている前記特定情報に応じて、前記差出人撮像データと、前記関連人撮像データと、前記差出人撮像データおよび前記関連人撮像データとのうちのいずれかの撮像データを抽出することを特徴とする請求項９に記載の制御プログラム。
【請求項１２】
複数の画像データを記憶する記憶部と、
制御部と、
を備え、郵便物の通信面の印刷データを作成することが可能な情報処理装置であって、
前記制御部は、
印刷データを作成する対象の郵便物に関する郵便物情報に基づいて、前記記憶部に記憶されている複数の画像データから少なくとも１以上の画像データを抽出する抽出手段と、
前記抽出手段によって抽出された少なくとも１以上の画像データを用いて郵便物の通信面の印刷データを作成する作成手段と、
を有し、
前記記憶部は、撮像により作成された撮像データを、画像データとして記憶しており、
前記郵便物情報は、郵便物の宛先人を示す宛先人情報であり、
前記抽出手段は、
前記記憶部に記憶されている複数の画像データから、少なくとも、宛先人情報により示される宛先人の顔の撮像データである宛先人撮像データを含む画像データを抽出することを特徴とする情報処理装置。
【発明の詳細な説明】
【技術分野】
【０００１】
本発明は、郵便物の通信面の印刷データを作成するための制御プログラムおよび、情報処理装置に関する。
【背景技術】
【０００２】
情報処理装置では、写真等の画像データに基づいて、郵便物の通信面の印刷データを作成することができる。下記特許文献には、デジタルカメラにより作成された画像データに所定の処理を施して、印刷データを作成する情報処理装置の一例が記載されている。
【先行技術文献】
【特許文献】
【０００３】
【特許文献１】特開２００１−１１１８０９号公報
【発明の概要】
【発明が解決しようとする課題】
【０００４】
このような情報処理装置の普及により、手軽に郵便物の印刷面に写真等の画像を印刷することが可能となった。しかしながら、情報処理装置等には、多くの画像の画像データが記憶されている場合があり、ユーザが、多くの画像の中から印刷対象の画像を抽出することは、非常に手間である。本発明は、そのような事情に鑑みてなされたものであり、多くの画像の中から容易に印刷対象の画像を抽出するための技術を提供する。
【課題を解決するための手段】
【０００５】
上記課題を解決するために、本発明の制御プログラムは、複数の画像データを記憶する記憶部を備えた情報処理装置のコンピュータが読み取り可能であり、郵便物の通信面の印刷データを作成するための制御プログラムであって、印刷データを作成する対象の郵便物に関する郵便物情報に基づいて、前記記憶部に記憶されている複数の画像データから少なくとも１以上の画像データを抽出する抽出手段と、前記抽出手段によって抽出された少なくとも１以上の画像データを用いて郵便物の通信面の印刷データを作成する作成手段と、して前記コンピュータを機能させることを特徴とする。
【０００６】
また、上記課題を解決するために、本発明の情報処理装置は、複数の画像データを記憶する記憶部と、制御部と、を備え、郵便物の通信面の印刷データを作成することが可能な情報処理装置であって、前記制御部は、印刷データを作成する対象の郵便物に関する郵便物情報に基づいて、前記記憶部に記憶されている複数の画像データから少なくとも１以上の画像データを抽出する抽出手段と、前記抽出手段によって抽出された少なくとも１以上の画像データを用いて郵便物の通信面の印刷データを作成する作成手段と、を有することを特徴とする。
【発明の効果】
【０００７】
本明細書の実施形態として記載の制御プログラム、および、情報処理装置では、印刷データを作成する対象の郵便物に関する郵便物情報に基づいて、複数の画像データから少なくとも１以上の画像データが抽出される。つまり、多くの画像の中から、郵便物の送付時期，郵便物の差出人等の情報等の郵便物に関する情報に応じた画像が抽出される。これにより、多くの画像の中から容易に印刷対象の画像を抽出することが可能となる。
【図面の簡単な説明】
【０００８】
【図１】通信システム１のブロック図である。
【図２】宛名面作成画面７０を示す図である。
【図３】通信面作成画面８４を示す図である。
【図４】差出人情報入力画面１００を示す図である。
【図５】通信面作成画面８４を示す図である。
【図６】対象人物選択画面１１０を示す図である。
【図７】画像選択画面１２０を示す図である。
【図８】通信面作成画面８４を示す図である。
【図９】第１実施形態の年賀状作成アプリケーション３６のフローチャートを示す図である。
【図１０】第１実施形態の年賀状作成アプリケーション３６のフローチャートを示す図である。
【図１１】第１実施形態の年賀状作成アプリケーション３６のフローチャートを示す図である。
【図１２】第２実施形態の年賀状作成アプリケーション３６のフローチャートを示す図である。
【図１３】第２実施形態の年賀状作成アプリケーション３６のフローチャートを示す図である。
【図１４】第２実施形態の年賀状作成アプリケーション３６のフローチャートを示す図である。
【発明を実施するための形態】
【０００９】
＜第１実施形態＞
図１に、本願に係る実施形態として例示される通信システム１のブロック図を示す。通信システム１は、携帯電話（本発明の情報処理装置の一例）１０、プリンタ５０、アクセスポイント５２、基地局５６を備える。アクセスポイント５２は、無線ＬＡＮアクセスポイント、及びルーターとしての機能を備え、プリンタ５０と接続されている。
【００１０】
携帯電話１０の構成について説明する。携帯電話１０は、ＣＰＵ（Central Processing Unitの略）（本発明のコンピュータ、制御部の一例）１２、記憶部（本発明の記憶部の一例）１４、無線通信Ｉ／Ｆ１６、携帯電話通信Ｉ／Ｆ１８、ＬＣＤ（liquid crystal display）（本発明の表示部の一例）２０、タッチパネル（本発明の操作部の一例）２２を主に備えている。これらの構成要素は、入出力ポート２８を介して互いに通信可能とされている。
【００１１】
無線通信Ｉ／Ｆ１６は、ＩＥＥＥの８０２．１１の規格およびそれに準ずる規格に基づいて、Ｗｉ-Ｆｉ (R)（Wi-Fi Allianceの登録商標）方式（ＷＦ方式と略して記載する場合もある）の無線通信３０を行うことが可能とされている。すなわち、携帯電話１０は、アクセスポイント５２へアクセスし、ＷＦ方式の無線通信３０を行える状態になれば、アクセスポイント５２を介して、プリンタ５０とデータ通信することが可能になる。
【００１２】
携帯電話通信Ｉ／Ｆ１８は、基地局５６との間で携帯電話通信方式の無線通信３２を行うことが可能とされている。すなわち、携帯電話１０は、携帯電話通信方式の無線通信３２を行える状態になれば、基地局５６を介して、データ通信することが可能になる。
【００１３】
ＣＰＵ１２は、記憶部１４内の年賀状作成アプリケーション（本発明の制御プログラムの一例）３６に従って処理を実行する。年賀状作成アプリケーション３６は、所定の年、例えば、２０１５年の年賀状を作成するためのプログラムである。以降、年賀状作成アプリケーション３６を実行するＣＰＵ１２のことを、単にプログラム名でも記載する場合がある。例えば、「年賀状作成アプリケーション３６が」という記載は、「年賀状作成アプリケーション３６を実行するＣＰＵ１２が」ということを意味する場合がある。
【００１４】
また、記憶部１４は、データ記憶領域（本発明の記憶部の一例）３８を備える。データ記憶領域３８は、撮像により作成された撮像データ、年賀状作成アプリケーション３６の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（Hard Disk Driveの略）、ＣＰＵ１２が備えるバッファなどが組み合わされて構成されている。
【００１５】
ＬＣＤ２０は、携帯電話１０の各種機能を表示する表示面を備える。タッチパネル２２は、タッチセンサを有し、ＬＣＤ２０の表示面を覆うように配置されている。タッチパネル２２は、ユーザの指、タッチペン等のタッチパネル２２への接近・接触を検出し、検出に応じて電気信号を出力する。
【００１６】
＜通信システムを利用した年賀状の作成＞
通信システム１では、携帯電話１０によって年賀状の宛名面および通信面の印刷データが作成され、プリンタ５０において、年賀状が印刷される。具体的には、年賀状の宛名面の作成を開始するためのボタン（図示省略）が操作されると、図２に示すように、ＬＣＤ２０に宛名面作成画面７０が表示される。宛名面作成画面７０には、宛名面画像７２と、宛名作成ボタン７４と、差出人作成ボタン７６と、完成ボタン７８とが表示される。
【００１７】
宛名面画像７２は、郵便物の宛名面を模した画像であり、宛名面画像７２の中央部右側には、年賀状の宛先人に関する情報（以下、「宛先人情報」と記載する場合がある）、つまり、宛先人の氏名，住所，郵便番号等を合成するための宛先人情報合成欄８０が表示され、宛名面画像７２の中央部左側には、年賀状の差出人に関する情報（以下、「差出人情報」と記載する場合がある）、つまり、差出人の氏名，住所，郵便番号等を合成するための差出人情報合成欄８２が表示されている。
【００１８】
宛名作成ボタン７４は、宛先人情報を作成するためのボタンであり、宛名作成ボタン７４の操作により、ＬＣＤ２０に宛先人情報を入力するための画面（図示省略）が表示される。そして、その画面において、宛先人情報が入力されると、宛先人情報合成欄８０に宛先人情報が合成された状態の宛名面画像７２がＬＣＤ２０に表示される。
【００１９】
また、差出人作成ボタン７６は、差出人情報を作成するためのボタンであり、差出人作成ボタン７６の操作により、ＬＣＤ２０に差出人情報を入力するための画面（図示省略）が表示される。そして、その画面において、差出人情報が入力されると、差出人情報合成欄８２に差出人情報が合成された状態の宛名面画像７２がＬＣＤ２０に表示される。宛先人情報等が宛名面画像７２に合成された後に、完成ボタン７８が操作されると、宛先人情報等が合成された状態の年賀状の宛名面の画像データが、無線通信３０によりプリンタ５０に送信される。
【００２０】
また、年賀状の通信面の作成を開始するためのボタン（図示省略）が操作されると、図３に示すように、ＬＣＤ２０に通信面作成画面８４が表示される。通信面作成画面８４には、通信面画像８６と、フォントボタン８８と、保存ボタン９０と、完成ボタン９２とが表示される。通信面画像８６は、イラスト等の記された年賀状の通信面のテンプレート画像であり、通信面画像８６の下端部には、差出人情報およびコメント等を合成するための差出人情報合成欄９６が表示され、通信面画像８６の中央部には、撮像データに基づく画像、つまり、写真を合成するための写真合成欄９８が表示されている。
【００２１】
差出人情報合成欄９６は、通信面画像８６に差出人情報、若しくはコメントを合成するための欄であるが、タッチボタンとしても機能しており、差出人情報合成欄９６が操作されると、図４に示すように、ＬＣＤ２０に差出人情報入力画面１００が表示される。差出人情報入力画面１００には、差出人情報入力欄１０２と、コメント入力欄１０４と、読込ボタン１０６と、完了ボタン１０８とが表示される。
【００２２】
差出人情報入力欄１０２は、差出人情報を入力するための欄であり、ユーザ操作により直接入力することが可能である。また、記憶部１４に差出人情報が記憶されている場合には、読込ボタン１０６を操作することで、記憶部１４に記憶されている差出人情報を、差出人情報入力欄１０２に入力することが可能である。また、コメント入力欄１０４は、コメントを入力するための欄であり、ユーザ操作により、コメントを直接入力することが可能である。そして、差出人情報、若しくは、コメントが入力された後に、完了ボタン１０８が操作されると、図５に示すように、ＬＣＤ２０に通信面作成画面８４が表示される。なお、この通信面作成画面８４には、差出人情報合成欄９６に差出人情報、若しくは、コメントが合成されている。
【００２３】
また、通信面作成画面８４の写真合成欄９８は、通信面画像８６に写真を合成するための欄であるが、タッチボタンとしても機能しており、写真合成欄９８が操作されると、写真合成欄９８に合成するための写真を選択するべく、データ記憶領域３８に記憶されている複数の撮像データに基づく画像、つまり、複数の写真がＬＣＤ２０に表示される。ただし、年賀状の通信面には、通常、古い写真は合成せず、新しい写真が合成される。つまり、年賀状が宛先人に届く時期を起点として所定期間遡った時期より後の写真が合成される。例えば、年賀状が宛先人に届く時期を起点として１年間遡った時期より後の写真、つまり、年賀状が宛先人に届く年の前年（以下、「対象年」と記載する場合がある）の写真が合成される。ただし、データ記憶領域３８には、対象年の写真の撮像データだけでなく、対象年より前の年の写真の撮像データが、多く記憶されている場合がある。
【００２４】
また、年賀状の通信面には、通常、差出人に関係する人物の写真が合成されるが、データ記憶領域３８には、差出人に関係する人物の写真の撮像データだけでなく、差出人に関係しない人物，風景等の写真の撮像データが、多く記憶されている場合がある。このような場合に、記憶部１４に記憶されている全ての撮像データに基づく写真を、ＬＣＤ２０に表示していては、ユーザが必要な写真を選択する際に、非常に不便である。このため、携帯電話１０では、写真合成欄９８が操作された場合に、差出人に関係する人物が写っている写真であり、かつ、対象年の写真が、ＬＣＤ２０に表示される。
【００２５】
具体的には、写真合成欄９８が操作されると、年賀状が宛先人に届く時期に基づく対象年に関する情報が取得される。携帯電話１０では、年賀状が作成される際に、年賀状作成アプリケーション３６が実行されるが、この年賀状作成アプリケーション３６は、所定の年、例えば、２０１５年の年賀状を作成するためのプログラムである。つまり、年賀状が宛先人に届く時期は、２０１５年の正月（ここでは元旦とする）であり、その正月から遡る期間を、１年間とした場合には、対象年は、２０１４年となる。このため、年賀状作成アプリケーション３６には、対象年として、２０１４年を示す情報が記録されており、年賀状作成アプリケーション３６の実行により、対象年として、２０１４年を示す情報が取得される。
【００２６】
そして、対象年に関する情報が取得されると、データ記憶領域３８に記憶されている撮像データの中から、２０１４年に撮像された撮像データが抽出される。詳しくは、撮像データには、通常、Ｅｘｉｆ（Exchangeable image file formatの略）が含まれており、Ｅｘｉｆには、撮像日時，解像度等のデータが記録されている。このため、データ記憶領域３８に記憶されている全ての撮像データの各々のＥｘｉｆが解析され、Ｅｘｉｆに記録されている撮像日時が２０１４年であるか否かが判定される。そして、データ記憶領域３８に記憶されている撮像データの中から、Ｅｘｉｆに記録されている撮像日時が２０１４年である撮像データが抽出される。
【００２７】
ただし、撮像データには、Ｅｘｉｆを含んでいないものも存在する。このような場合には、撮像データがデータ記憶領域３８に記憶された日時に基づいて、撮像データの抽出が行われる。詳しくは、撮像データはデータ記憶領域３８の所定のファイルに記憶されるが、撮像データが、ファイルに記憶される際に、そのファイルに撮像データが記憶された日時も関連付けられて記憶される。このため、Ｅｘｉｆを含んでいない撮像データの各々のファイルが解析され、ファイルに記録されている日時が２０１４年であるか否かが判定される。そして、Ｅｘｉｆを含んでいない撮像データの中から、ファイルに記憶されている日時が２０１４年である撮像データが抽出される。これにより、データ記憶領域３８に記憶されている撮像データの中から、撮像日時、若しくは、記憶日時が２０１４年である撮像データ（以下、「対象年データ」と記載する場合がある）が抽出される。
【００２８】
また、写真合成欄９８が操作されると、図６に示すように、ＬＣＤ２０に対象人物選択画面１１０が表示される。対象人物選択画面１１０は、年賀状の通信面への合成対象の写真に写っている人物（以下、「対象人物」と記載する場合がある）を選択するための画面である。対象人物選択画面１１０には、第１選択ボタン１１２と、第２選択ボタン１１４と、第３選択ボタン１１６と、第４選択ボタン１１８とが表示されている。第１選択ボタン１１２は、対象人物として、差出人を選択するためのボタンである。第２選択ボタン１１４は、対象人物として、差出人の家族を選択するためのボタンである。第３選択ボタン１１６は、対象人物として、差出人の家族と差出人との両方を選択するためのボタンである。第４選択ボタン１１８は、対象人物として、差出人と宛先人との両方を選択するためのボタンである。
【００２９】
データ記憶領域３８には、ｖＣＡＲＤ等のフォーマットに従って、多数の人物の個人情報が記憶されている。それら多数の個人情報の各々には、氏名や住所を示す情報だけでなく、顔の撮像データ，差出人との関係、例えば、差出人の配偶者，子供，親，友人等を示す情報が含まれている。なお、データ記憶領域３８には、差出人の個人情報も記憶されている。このため、例えば、第１選択ボタン１１２が選択された際には、データ記憶領域３８に記憶されている個人情報から差出人の顔の撮像データ（以下、「差出人顔データ」と記載する場合がある）が取り出される。また、対象年データから、顔認識システムを利用して、対象年データの写真に写っている人物の顔と思われる部分のデータ（以下、「対象年顔データ」と記載する場合がある）が取り出される。そして、各対象年データに対して、対象年顔データに差出人顔データが存在するか否かが判定される。この際、対象年データの中から、対象年顔データに差出人顔データが存在すると判定されたデータが、抽出される。これにより、対象年データの中から、対象人物が写っている写真の撮像データ（以下、「対象人物データ」と記載する場合がある）が抽出される。
【００３０】
また、第２選択ボタン１１４が選択された際には、データ記憶領域３８に記憶されている個人情報から、差出人の家族の顔の撮像データ（以下、「家族顔データ」と記載する場合がある）が取り出される。詳しくは、データ記憶領域３８に記憶されている個人情報の差出人との関係を示す情報が参照され、差出人の配偶者，子供，親を示す情報を含む個人情報が特定される。そして、特定された個人情報から、顔の撮像データが取り出される。これにより、家族顔データが取り出される。次に、各対象年データに対して、対象年顔データに家族顔データが存在するか否かが判定される。この際、対象年顔データに家族顔データが存在すると判定されたデータが、対象人物データとして抽出される。
【００３１】
また、第３選択ボタン１１６が選択された際には、データ記憶領域３８に記憶されている個人情報から、差出人顔データと家族顔データとが取り出される。そして、各対象年データに対して、対象年顔データに差出人顔データと家族顔データとの両方が存在するか否かが判定される。この際、対象年顔データに差出人顔データと家族顔データとの両方が存在すると判定されたデータが、対象人物データとして抽出される。
【００３２】
また、第４選択ボタン１１８が選択された際には、データ記憶領域３８に記憶されている個人情報から、宛先人の顔の撮像データ（以下、「宛先人顔データ」と記載する場合がある）が取り出される。詳しくは、宛名面作成画面７０において宛名面画像７２の宛先人情報合成欄８０に合成された宛先人情報が取り出される。次に、データ記憶領域３８に記憶されている個人情報の氏名および住所を示す情報が参照され、宛先人情報合成欄８０に合成された宛先人情報と同じ氏名および住所の個人情報が特定される。そして、特定された個人情報から、顔の撮像データが取り出される。これにより、宛先人顔データが取り出される。また、データ記憶領域３８に記憶されている個人情報から、差出人顔データも取り出される。そして、各対象年データに対して、対象年顔データに差出人顔データと宛先人顔データとの両方が存在するか否かが判定される。この際、対象年顔データに差出人顔データと宛先人顔データとの両方が存在すると判定されたデータが、対象人物データとして抽出される。
【００３３】
第１〜４選択ボタン１１２〜１１８の操作により、対象人物データが抽出されると、図７に示すように、画像選択画面１２０が表示される。画像選択画面１２０には、抽出された全ての対象人物データに基づくサムネイル画像１２２が、表示されている。つまり、対象人物データに基づくサムネイル画像１２２が、画像選択画面１２０への表示対象の画像と認定され、画像選択画面１２０に表示される。一方、データ記憶領域３８に記憶されている撮像データのうちの、対象年データ以外の撮像データ、および、対象人物データ以外の撮像データに基づくサムネイル画像１２２が、画像選択画面１２０への表示対象外の画像と認定され、画像選択画面１２０に表示されない。ちなみに、図７の画像選択画面１２０には、第１選択ボタン１１２が操作された場合のサムネイル画像１２２が表示されており、各サムネイル画像１２２には、差出人の画像１２４が含まれている。
【００３４】
なお、第１，３，４選択ボタン１１２，１１６，１１８により選択される対象人物には、差出人が含まれており、第２選択ボタン１１４により選択される対象人物は、差出人の家族である。このため、差出人情報が入力されていない場合には、第１〜４選択ボタン１１２〜１１８による対象人物の選択を行うことはできない。このため、差出人情報が入力されていない状態で、通信面作成画面８４において、写真合成欄９８が操作された場合には、ＬＣＤ２０に対象人物選択画面１１０は表示されず、データ記憶領域３８に記憶されている全ての撮像データの中から、対象年データのみが抽出される。そして、抽出された対象年データに基づくサムネイル画像１２２が、画像選択画面１２０に表示される。
【００３５】
つまり、差出人情報が入力されていない場合には、対象年データに基づくサムネイル画像１２２が、画像選択画面１２０への表示対象の画像と認定され、画像選択画面１２０に表示される。一方、データ記憶領域３８に記憶されている撮像データのうちの、対象年データ以外の撮像データに基づくサムネイル画像１２２が、画像選択画面１２０への表示対象外の画像と認定され、画像選択画面１２０に表示されない。
【００３６】
また、画像選択画面１２０での各サムネイル画像１２２は、タッチボタンとして機能しており、任意のサムネイル画像１２２が操作されると、操作されたサムネイル画像１２２が、通信面に印刷する写真として選択され、選択されたサムネイル画像１２２を含む通信面の印刷データが作成される。詳しくは、画像選択画面１２０において、任意のサムネイル画像１２２が操作されると、ＬＣＤ２０にトリミング画面（図示省略）が表示され、ユーザは、その画面表示に従って、選択されたサムネイル画像１２２に対してトリミングを行う。そして、図８に示すように、写真合成欄９８にトリミングされたサムネイル画像１２２が合成された状態の通信面作成画面８４が、ＬＣＤ２０に表示される。この通信面作成画面８４の差出人情報合成欄９６には、差出人情報入力画面１００において入力された差出人情報等も合成されており、この通信面作成画面８４に応じた印刷データが作成される。
【００３７】
なお、図８の通信面作成画面８４において、フォントボタン８８が操作された場合には、差出人情報合成欄９６に合成された差出人情報等の書体のデザインが変更される。また、保存ボタン９０が操作された場合には、通信面作成画面８４に応じた印刷データがデータ記憶領域３８に記憶される。また、完成ボタン９２が操作された場合には、通信面作成画面８４に応じた印刷データが、プリンタ５０に無線通信３０を用いて送信される。これにより、プリンタ５０では、年賀状の通信面に、通信面作成画面８４に応じた画像が印刷される。
【００３８】
このように、携帯電話１０では、データ記憶領域３８に記憶されている全ての撮像データの中から対象年データが抽出され、さらに、対象年データの中から対象人物データが抽出されている。そして、抽出された対象人物データに基づくサムネイル画像１２２が、画像選択画面１２０に表示されている。これにより、年賀状への合成対象となり得る写真のみを、ＬＣＤ２０に表示することが可能となり、ユーザが必要な写真を選択する際に、非常に便利である。
【００３９】
＜年賀状作成アプリケーション＞
上述した年賀状の宛名面および通信面の作成は、ＣＰＵ１２において年賀状作成アプリケーション３６が実行されることによって行われる。以下に、図９乃至図１１を用いて、ＣＰＵ１２で年賀状作成アプリケーション３６が実行される際のフローを説明する。
【００４０】
年賀状作成アプリケーション３６が実行されると、年賀状の宛名面の作成指示を受け付けたか否か、つまり、年賀状の宛名面の作成を開始するためのボタンが操作されたか否かが、ＣＰＵ１２によって判断される（Ｓ１００）。作成指示を受け付けていない場合（Ｓ１００のＮＯ）には、Ｓ１００の処理が繰り返される。一方、作成指示を受け付けた場合（Ｓ１００のＹＥＳ）には、ユーザ操作により入力された宛名情報等の文字列が、宛名面画像７２に合成され、宛名情報等の文字列が合成された宛名面画像７２を含む宛名面作成画面７０が、ＬＣＤ２０に表示される（Ｓ１０２）。そして、宛名面作成画面７０において、完成ボタン７８が操作された場合に、宛名情報等の文字列が合成された宛名面画像７２の画像データが、無線通信３０によりプリンタ５０に送信される（Ｓ１０４）。
【００４１】
次に、年賀状の通信面の作成指示を受け付けたか否か、つまり、年賀状の通信面の作成を開始するためのボタンが操作されたか否かが、ＣＰＵ１２によって判断される（Ｓ１０６）。作成指示を受け付けていない場合（Ｓ１０６のＮＯ）には、Ｓ１０６の処理が繰り返される。一方、作成指示を受け付けた場合（Ｓ１０６のＹＥＳ）には、ＬＣＤ２０に通信面作成画面８４が表示され、差出人情報の入力を受け付けたか否か、つまり、差出人情報合成欄９６が操作された否かが、ＣＰＵ１２によって判断される（Ｓ１０８）。差出人情報合成欄９６が操作された場合（Ｓ１０８のＹＥＳ）には、ユーザ操作により入力された差出人情報の文字列が、通信面画像８６に合成され、差出人情報の文字列が合成された通信面画像８６を含む通信面作成画面８４が、ＬＣＤ２０に表示される（Ｓ１１０）。そして、Ｓ１１２に進む。一方、差出人情報合成欄９６が操作されていない場合（Ｓ１０８のＮＯ）には、Ｓ１１０の処理がスキップされ、Ｓ１１２に進む。
【００４２】
Ｓ１１２では、対象年が取得される（Ｓ１１２）。そして、写真の表示指示を受け付けたか否か、つまり、通信面作成画面８４において、写真合成欄９８が操作されたか否かが、ＣＰＵ１２によって判断される（Ｓ１１６）。写真合成欄９８が操作されていない場合（Ｓ１１６のＮＯ）には、Ｓ１１６の処理が繰り返される。一方、写真合成欄９８が操作された場合（Ｓ１１６のＹＥＳ）には、ＬＣＤ２０に対象人物選択画面１１０が表示される（Ｓ１１８）。次に、対象人物選択画面１１０において第１〜４選択ボタン１１２〜１１８の何れか操作されたか否か、つまり、対象人物を受け付けたか否かが、ＣＰＵ１２によって判断される（Ｓ１２０）。対象人物を受け付けていない場合（Ｓ１２０のＮＯ）には、Ｓ１２０の処理が繰り返される。
【００４３】
一方、対象人物を受け付けた場合（Ｓ１２０のＹＥＳ）には、データ記憶領域３８に記憶されている全ての撮像データが取得される（Ｓ１２２）。次に、撮像データから撮影日時、若しくは、記憶日時が取得される（Ｓ１２４）。そして、撮像データに基づく写真が、対象年に撮像された写真、若しくは、対象年に記憶された写真であるか否かが、ＣＰＵ１２によって判断される（Ｓ１２６）。撮像データに基づく写真が、対象年に撮像された写真、若しくは、対象年に記憶された写真である場合（Ｓ１２６のＹＥＳ）には、差出人情報が、宛名面作成画面７０若しくは、通信面作成画面８４において入力されているか否かが判定される（Ｓ１２８）。
【００４４】
差出人情報が、宛名面作成画面７０若しくは、通信面作成画面８４において入力されている場合（Ｓ１２８のＹＥＳ）には、撮像データに基づく写真に写っている人物の顔データが、撮像データから取得される（Ｓ１３０）。そして、撮像データに基づく写真に対象人物が写っているか否かが、ＣＰＵ１２によって判断される（Ｓ１３２）。つまり、撮像データに対して、撮像データの顔データに対象人物の顔データが存在するか否かが判定される。そして、撮像データに基づく写真に対象人物が写っている場合、つまり、撮像データの顔データに対象人物の顔データが存在する場合（Ｓ１３２のＹＥＳ）には、その撮像データに基づく写真が、表示対象の写真に認定される（Ｓ１３４）。一方、撮像データに基づく写真に対象人物が写っていない場合、つまり、撮像データの顔データに対象人物の顔データが存在しない場合（Ｓ１３２のＮＯ）には、その撮像データに基づく写真が、表示対象外の写真に認定される（Ｓ１３６）。
【００４５】
撮像データに基づく写真が、表示対象の写真と表示対象外の写真との何れかに認定されると、データ記憶領域３８に記憶されている撮像データに基づく写真の判定が、終了したか否かが、ＣＰＵ１２によって判断される（Ｓ１３８）。全ての写真の判定が終了していない場合（Ｓ１３８のＮＯ）には、Ｓ１２４に戻る。一方、全ての写真の判定が終了している場合（Ｓ１３８のＹＥＳ）には、表示対象の写真が存在するか否かが、ＣＰＵ１２によって判断される（Ｓ１３９）。表示対象の写真が存在する場合（Ｓ１３９のＹＥＳ）には、表示対象に認定された写真のサムネイル画像１２２が、画像選択画面１２０に一覧表示される（Ｓ１４０）。そして、一覧表示されたサムネイル画像１２２の何れかが操作され、合成対象の写真が選択されたか否かが、ＣＰＵ１２によって判断される（Ｓ１４２）。
【００４６】
合成対象の写真が選択されていない場合（Ｓ１４２のＮＯ）には、Ｓ１４２の処理が繰り返される。一方、合成対象の写真が選択された場合（Ｓ１４２のＹＥＳ）には、その選択された写真に対するトリミング処理を受け付ける（Ｓ１４４）。次に、トリミングされた写真が、通信面画像８６に合成され、その通信面画像８６を含む通信面作成画面８４がＬＣＤ２０に表示される（Ｓ１４６）。そして、保存指示、若しくは、印刷指示を受け付けたか否か、つまり、通信面作成画面８４の保存ボタン９０若しくは、完成ボタン９２が操作されたか否かが、ＣＰＵ１２によって判断される（Ｓ１４８）。保存ボタン９０若しくは、完成ボタン９２が操作されなかった場合（Ｓ１４８のＮＯ）には、Ｓ１４８の処理が繰り返される。一方、保存ボタン９０若しくは、完成ボタン９２が操作された場合（Ｓ１４８のＹＥＳ）には、操作されたボタンに応じた処理が実行される（Ｓ１５０）。これにより、年賀状作成アプリケーション３６の処理が終了する。
【００４７】
また、Ｓ１３９において、表示対象の写真が存在しない場合（Ｓ１３９のＮＯ）には、表示対象の写真が存在しないことを通知するための画面が、ＬＣＤ２０に表示される（Ｓ１５２）。そして、Ｓ１４８以降の処理が行われる。
【００４８】
＜第２実施形態＞
第２実施形態に係る通信システム１の動作を説明する。ただし、第２実施形態における通信システム１の構成は、第１実施形態における通信システム１の構成と同じであるため、第２実施形態における通信システム１の構成の説明は省略する。
【００４９】
第１実施形態の通信システム１の携帯電話１０では、２０１５年の年賀状の宛名面および通信面の印刷データが作成されるが、第２実施形態の通信システム１の携帯電話１０では、種々の用途のハガキの通信面、例えば、暑中お見舞い用のハガキ，結婚を報告するためのハガキ，子供が生まれたことを報告するためのハガキ等の通信面の印刷データが作成される。
【００５０】
具体的には、第２実施形態の携帯電話１０では、通信面の作成を開始するためのボタン（図示省略）が操作されると、種々のテンプレートを選択するためのテンプレート選択画面（図示省略）が、ＬＣＤ２０に表示される。この画面には、暑中お見舞いのハガキの通信面に対応したテンプレート（以下、「暑中お見舞い用テンプレート」と記載する場合がある），結婚を報告するためのハガキの通信面に対応したテンプレート（以下、「結婚用テンプレート」と記載する場合がある），子供の誕生を報告するためのハガキの通信面に対応したテンプレート（以下、「子供用テンプレート」と記載する場合がある）等が表示される。なお、テンプレート選択画面に表示されるテンプレートの画像データは、データ記憶領域３８に記憶されている。
【００５１】
テンプレート選択画面において、任意のテンプレートが選択されると、その任意のテンプレートが、ＬＣＤ２０に表示される。この際、通信面作成画面８４と同様の画面がＬＣＤ２０に表示されることから、通信面作成画面８４を用いて説明する。通信面作成画面８４において、差出人情報合成欄９６が操作されると、第１実施形態と同様に、差出人情報の入力を行うことが可能となり、差出人情報の入力により、差出人情報合成欄９６に差出人情報が合成される。また、通信面作成画面８４の写真合成欄９８が操作されると、第１実施形態と同様に、通信面への合成対象となり得る写真のみが、ＬＣＤ２０に表示される。ただし、第２実施形態の携帯電話１０では、種々の用途のハガキの通信面の印刷データが作成されるため、作成対象の用途に応じて、通信面への合成対象となり得る写真のみが、ＬＣＤ２０に表示される。
【００５２】
具体的には、例えば、暑中お見舞い用のハガキは、通常、７月前後の暑い時期に宛先人に届けられることを考慮すると、暑中お見舞い用のハガキの通信面には、暑い時期に応じた写真を合成することが好ましい。このため、暑中お見舞い用のテンプレートの画像データには、合成対象の写真を抽出するための起点日および、遡及期間として、７月（本実施形態では７月１５日とする）および、２ヶ月が関連付けて記憶されている。そして、テンプレート選択画面において、暑中お見舞い用テンプレートが選択された場合には、データ記憶領域３８に記憶されている撮像データの中から、７月を起点として２か月遡った時期より後に撮像された撮像データ、若しくは、データ記憶領域３８に記憶された撮像データが抽出される。
【００５３】
また、結婚を報告するためのハガキおよび、子供の誕生を報告するためハガキは、通常、ハガキ作成日から数日後に宛先人に届けられ、それらのハガキには、できる限り最近に撮像された写真が合成される。このため、結婚用テンプレートおよび、子供用テンプレートの画像データには、合成対象の写真を抽出するための起点日および、遡及期間として、ハガキ作成日および、１ヶ月が関連付けて記憶されている。そして、テンプレート選択画面において、結婚用テンプレート若しくは、子供用テンプレートが選択された場合には、ＯＳ（Operating Systemの略）（図示省略）から日付情報が取得され、データ記憶領域３８に記憶されている撮像データの中から、取得した日付を起点として１か月遡った時期より後に撮像された撮像データ、若しくは、データ記憶領域３８に記憶された撮像データが抽出される。
【００５４】
上述したように、第２実施形態の携帯電話１０では、選択されたテンプレートに応じて記憶されている起点日および、遡及期間を利用して、抽出すべき撮像データの対象期間が特定され、データ記憶領域３８に記憶されている撮像データの中から、対象期間内に撮像、若しくは記憶された撮像データ（以下、「対象期間内データ」と記載する場合がある）が抽出される。対象期間内データが抽出されると、対象人物が写っている写真を抽出するべく、対象期間内データの中から対象人物データが抽出される。第１実施形態の携帯電話１０では、対象人物選択画面１１０において対象人物が特定されているが、第２実施形態の携帯電話１０では、テンプレートに応じて対象人物が特定される。
【００５５】
具体的には、暑中お見舞い用テンプレートの画像データには、対象人物として、差出人が関連付けて記憶され、結婚用テンプレートの画像データには、対象人物として、差出人と差出人の配偶者との両方が関連付けて記憶され、子供用テンプレートの画像データには、対象人物として、差出人の子供が関連付けて記憶されている。このため、暑中お見舞い用テンプレートが選択されている場合には、対象期間内データに基づく写真に、差出人が写っているか否かが判定され、差出人が写っている写真が、表示対象の写真として認定される。また、結婚用テンプレートが選択されている場合には、対象期間内データに基づく写真に、差出人と差出人の配偶者との両方が写っているか否かが判定され、差出人と差出人の配偶者との両方が写っている写真が、表示対象の写真として認定される。また、子供用テンプレートが選択されている場合には、対象期間内データに基づく写真に、差出人の子供が写っているか否かが判定され、差出人の子供が写っている写真が、表示対象の写真として認定される。なお、対象期間内データに基づく写真に対象人物が写っているか否かの判定手法は、第１実施形態での判定手法と同じであるため、説明を省略する。
【００５６】
そして、表示対象と認定された写真のサムネイル画像が、画像選択画面１２０と同様の画面に表示される。これにより、第２実施形態の携帯電話１０においても、第１実施形態の携帯電話１０と同様に、通信面への合成対象となり得る写真のみを、ＬＣＤ２０に表示することが可能となり、ユーザが必要な写真を選択する際に、非常に便利である。なお、第２実施形態の携帯電話１０でも、ＬＣＤ２０に表示されているサムネイル画像への操作により、操作されたサムネイル画像に応じた写真が選択される。そして、選択された写真が通信面作成画面８４に合成されるが、サムネイル画像のＬＣＤ２０への表示以降の工程は、第１実施形態の携帯電話１０と同じであるため、説明を省略する。
【００５７】
第２実施形態での上記処理は、図１２乃至図１４に示すフローがＣＰＵ１２によって実行されることで行われる。以下に、図１２乃至図１４に示すフローについて説明するが、本フローは、図９乃至図１１に示すフローと共通する箇所が多いため、共通する箇所に関しては、簡略に説明する。
【００５８】
上記処理を実行するためのアプリケーション（図示省略）が実行されると、ハガキの通信面の作成指示を受け付けたか否か、つまり、ハガキの通信面の作成を開始するためのボタンが操作されたか否かが、ＣＰＵ１２によって判断される（Ｓ２００）。作成指示を受け付けていない場合（Ｓ２００のＮＯ）には、Ｓ２００の処理が繰り返される。一方、作成指示を受け付けた場合（Ｓ２００のＹＥＳ）には、ＬＣＤ２０にテンプレート選択画面が表示される（Ｓ２０２）。次に、テンプレート選択画面において任意のテンプレートが選択されたか否か、ＣＰＵ１２によって判断される（Ｓ２０４）。任意のテンプレートが選択されていない場合（Ｓ２０４のＮＯ）には、Ｓ２０４の処理が繰り返される。
【００５９】
一方、任意のテンプレートが選択された場合（Ｓ２０４のＹＥＳ）には、Ｓ２０６および、Ｓ２０８の処理が行われる。ただし、Ｓ２０６および、Ｓ２０８の処理は、図９のＳ１０８および、Ｓ１１０の処理と同じであるため、説明を省略する。次に、Ｓ２１０では、選択されたテンプレートに応じた起点日および、遡及期間が取得される（Ｓ２１０）。そして、取得された起点日および、遡及期間に基づいて、対象期間が決定される（Ｓ２１２）。
【００６０】
続いて、写真の表示指示を受け付けたか否か、つまり、通信面作成画面８４において、写真合成欄９８が操作されたか否かが、ＣＰＵ１２によって判断される（Ｓ２１４）。写真合成欄９８が操作されていない場合（Ｓ２１４のＮＯ）には、Ｓ２１４の処理が繰り返される。一方、写真合成欄９８が操作された場合（Ｓ２１４のＹＥＳ）には、選択されているテンプレートに応じた対象人物が取得される（Ｓ２１６）。そして、Ｓ２１８および、Ｓ２２０の処理が行われる。ただし、Ｓ２１８および、Ｓ２２０の処理は、図１０のＳ１２２および、Ｓ１２４の処理と同じであるため、説明を省略する。
【００６１】
次に、Ｓ２２２では、撮像データに基づく写真が、対象期間内に撮像された写真、若しくは、対象期間内に記憶された写真であるか否かが、ＣＰＵ１２によって判断される（Ｓ２２２）。撮像データに基づく写真が、対象期間内に撮像された写真、若しくは、対象期間内に記憶された写真である場合（Ｓ２２２のＹＥＳ）には、Ｓ２２３以降の処理が行われる。ただし、Ｓ２２３以降の処理は、図１０および、図１１のＳ１２８以降の処理と同じであるため、説明を省略する。
【００６２】
なお、Ｓ１２６、Ｓ１３２、Ｓ２２２、Ｓ２２６を実行するＣＰＵ１２は、抽出手段の一例である。Ｓ１４６、Ｓ２４０を実行するＣＰＵ１２は、作成手段の一例である。Ｓ１４０、Ｓ２３４を実行するＣＰＵ１２は、画像表示手段の一例である。Ｓ１４２、Ｓ２３６を実行するＣＰＵ１２は、画像特定手段の一例である。Ｓ１１８を実行するＣＰＵ１２は、選択画面表示手段の一例である。Ｓ２０２を実行するＣＰＵ１２は、テンプレート表示手段の一例である。Ｓ２０４を実行するＣＰＵ１２は、テンプレート特定手段の一例である。
【００６３】
なお、本発明は、上記実施形態に限定されるものではなく、当業者の知識に基づいて種々の変更、改良を施した種々の態様で実施することが可能である。具体的には、例えば、上記実施形態では、撮像データの抽出時に用いられる対象年および対象期間を特定する際の起点日および、遡及期間が、年賀状作成アプリケーション３６に記録、若しくは、ＯＳから取得、若しくは、テンプレートに関連付けられて記憶されているが、年賀状作成アプリケーション３６が複数年分の年賀状を作成できるよう作成されている場合は、作成する年賀状の対象年をユーザ操作により選択させ、選択させた年に基づき、対象期間を特定する際の起点日および、遡及期間を決定してもよい。また、年賀状以外の郵便物が選択できるように作成されており、選択した郵便物に基づき、対象期間を特定する際の起点日および、遡及期間を決定してもよい。
【００６４】
また、上記実施形態では、年賀状等の郵便物の通信面の印刷データ作成するための装置として、携帯電話１０が採用されているが、タブレット等の他の携帯端末、ＰＣ等の据え置き型の情報処理装置を採用してもよい。
【００６５】
また、上記実施形態では、ＣＰＵ１２によって図９乃至図１４に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００６６】
１０：携帯電話、１２：ＣＰＵ、２０：ＬＣＤ、２２：タッチパネル、３６：年賀状作成アプリケーション、３８：データ記憶領域
【図１】
0006375782.tif 000002
【図２】
0006375782.tif 000003
【図３】
0006375782.tif 000004
【図４】
0006375782.tif 000005
【図５】
0006375782.tif 000006
【図６】
0006375782.tif 000007
【図７】
0006375782.tif 000008
【図８】
0006375782.tif 000009
【図９】
0006375782.tif 000010
【図１０】
0006375782.tif 000011
【図１１】
0006375782.tif 000012
【図１２】
0006375782.tif 000013
【図１３】
0006375782.tif 000014
【図１４】
0006375782.tif 000015